(57)【要約】【課題】複数のＡＦモードに変更可能な場合に、迅速にＡＦモードを変更できるようにする。【解決手段】被写体像を撮像する撮像部３の出力画像に基づいて焦点検出を行う焦点検出部１２と、焦点検出部１２の出力に基づいて合焦可能領域を判定する合焦部判定部２９と、撮像部３の出力画像に基づいて顔認識する被写体認識部２８と、撮像部３の出力画像を表示するとともに、接触物の複数接触検知可能な表示部４と、表示部４への接触物の接触に応じてＡＦ範囲を設定するＡＦ範囲指定領域判定部２７と、ＡＦモードを自動選択するＡＦ自動選択モード時に、ＡＦ範囲指定領域判定部２７により設定したＡＦ範囲における被写体認識部２８による顔認識結果と合焦部判定部２９による判定結果とに応じて、ＡＦモードを自動選択するＡＦモード判定部３１とを備える。【選択図】図１
2013101320.tif 000002
【特許請求の範囲】
【請求項１】
被写体像を撮像する撮像手段の出力画像を表示するとともに、接触物の複数接触検知可能な表示手段と、
前記撮像手段の出力画像に基づいて焦点検出を行う焦点検出手段と、
前記焦点検出手段の出力に基づいて合焦可能領域を判定する合焦部判定手段と、
前記撮像手段の出力画像に基づいて所定の被写体を認識する被写体認識手段と、
前記表示手段への接触物の接触に応じて、複数のＡＦモードからＡＦモードを自動選択すること、複数のＡＥモードからＡＥモードを自動選択すること、及び複数の色温度調整モードから色温度調整モードを自動選択することのうち少なくともいずれか一つを実行するモード判定手段とを備えたことを特徴とする撮像装置。
【請求項２】
前記表示手段への接触物の接触に応じて範囲を設定する範囲設定手段を更に有し、
前記モード判定手段は、前記範囲設定手段により設定した範囲における前記被写体認識手段による所定の被写体の認識結果と前記合焦部判定手段による判定結果とに応じて自動選択することを特徴とする請求項１に記載の撮像装置。
【請求項３】
前記範囲設定手段は、前記表示手段に一の接触物が接触すると、その接触位置に内包された局所的な一点を範囲として設定することを特徴とする請求項２に記載の撮像装置。
【請求項４】
前記範囲設定手段は、前記表示手段に複数の接触物が接触すると、その複数の接触位置に内包された領域もしくは複数の接触位置を内包した領域を範囲として設定することを特徴とする請求項２又は３に記載の撮像装置。
【請求項５】
前記範囲設定手段は、前記表示手段に接触物が接触して滑ると、その滑った部分に内包された領域もしくは滑った部分を内包した領域を範囲として設定することを特徴とする請求項２乃至４のいずれか１項に記載の撮像装置。
【請求項６】
前記モード判定手段はＡＦモード判定手段であり、前記範囲設定手段により設定した範囲において前記被写体認識手段により所定の被写体が認識された場合、合焦可能な所定の被写体に追尾してＡＦを行う追尾ＡＦモードを自動選択することを特徴とする請求項２乃至５のいずれか１項に記載の撮像装置。
【請求項７】
前記モード判定手段はＡＦモード判定手段であり、前記範囲設定手段により設定した範囲において前記被写体認識手段により所定の被写体が認識されない場合、前記合焦部判定手段により判定された合焦可能領域の大きさが所定の閾値より大きい場合、被写体像全体をＡＦする多点ＡＦモードを自動選択し、前記合焦部判定手段により判定された合焦可能領域の大きさが前記所定の閾値より大きくない場合、被写体の局所的な一点を追尾してＡＦを行う一点追尾ＡＦモードを自動選択することを特徴とする請求項２乃至６のいずれか１項に記載の撮像装置。
【請求項８】
前記モード判定手段により一点追尾ＡＦモードと判定された場合に、接触物が再度前記表示手段の略同じ範囲で複数回接触検知されると、ゾーンＡＦモードとし、接触検知した回数に応じて、前記表示手段に表示するＡＦ枠を拡大することを特徴とする請求項７に記載の撮像装置。
【請求項９】
前記モード判定手段はＡＦモード判定手段であり、被写体へ合焦した後にフォーカスを固定するワンショットフォーカスモードと、合焦した被写体が移動した場合にフォーカスを追従して被写体に合焦し続けるサーボフォーカスモードとを自動選択し、
接触物を前記表示手段に接触させて合焦する被写体を指定し、該接触物を接触させた状態で移動する被写体に対して追従して指をスライドさせた場合、サーボフォーカスモードを自動選択し、接触物をスライドさせずに前記表示手段から離した場合、ワンショットフォーカスモードを自動選択することを特徴とする請求項１に記載の撮像装置。
【請求項１０】
前記モード判定手段はＡＥモード判定手段であり、前記範囲設定手段により設定した範囲において前記被写体認識手段により所定の被写体が認識された場合、合焦可能な所定の被写体に追尾してＡＥを行う追尾ＡＥモードを自動選択することを特徴とする請求項２乃至５のいずれか１項に記載の撮像装置。
【請求項１１】
前記モード判定手段はＡＥモード判定手段であり、前記範囲設定手段により設定した範囲において前記被写体認識手段により所定の被写体が認識されない場合、前記合焦部判定手段により判定された合焦可能領域の大きさが所定の閾値より大きい場合、被写体像全体をＡＥする被写体評価ＡＥモードを自動選択し、前記合焦部判定手段により判定された合焦可能領域の大きさが前記所定の閾値より大きくない場合、被写体の局所的な一点を追尾してＡＥを行う一点追尾ＡＥモードを自動選択することを特徴とする請求項２乃至５及び１０のいずれか１項に記載の撮像装置。
【請求項１２】
前記モード判定手段は色温度調整モード判定手段であり、前記範囲設定手段により設定した範囲において前記被写体認識手段により所定の被写体が認識された場合、合焦可能な所定の被写体に追尾して色温度調整を行う追尾色温度調整モードを自動選択することを特徴とする請求項２乃至５のいずれか１項に記載の撮像装置。
【請求項１３】
前記モード判定手段は色温度調整モード判定手段であり、前記範囲設定手段により設定した範囲において前記被写体認識手段により所定の被写体が認識されない場合、前記合焦部判定手段により判定された合焦可能領域の輝度が所定の閾値より大きい場合、高輝度である光源を検知し、光源の色から色温度を調整する光源色温度調整モードを自動選択し、前記合焦部判定手段により判定された合焦可能領域の輝度が前記所定の閾値より大きくない場合、被写体全体の略平均的な色温度から色温度を調整するオート色温度調整モードを自動選択することを特徴とする請求項２乃至５及び１２のいずれか１項に記載の撮像装置。
【請求項１４】
前記合焦部判定手段は、前記焦点検出手段により検出される前記撮像手段の出力画像のコントラスト値に基づいて合焦可能領域を判定することを特徴とする請求項１乃至１３のいずれか１項に記載の撮像装置。
【請求項１５】
被写体像を撮像する撮像手段の出力画像を表示するとともに、接触物の複数接触検知可能な表示手段を備えた撮像装置の制御方法であって、
前記撮像手段の出力画像に基づいて焦点検出を行う焦点検出ステップと、
前記焦点検出ステップでの出力に基づいて合焦可能領域を判定する合焦部判定ステップと、
前記撮像手段の出力画像に基づいて所定の被写体を認識する被写体認識ステップと、
前記表示手段への接触物の接触に応じて、複数のＡＦモードからＡＦモードを自動選択すること、複数のＡＥモードからＡＥモードを自動選択すること、及び複数の色温度調整モードから色温度調整モードを自動選択することのうち少なくともいずれか一つを実行するモード判定ステップとを有することを特徴とする撮像装置の制御方法。
【請求項１６】
被写体像を撮像する撮像手段の出力画像を表示するとともに、接触物の複数接触検知可能な表示手段を備えた撮像装置を制御するためのプログラムであって、
前記撮像手段の出力画像に基づいて焦点検出を行う焦点検出手段と、
前記焦点検出手段の出力に基づいて合焦可能領域を判定する合焦部判定手段と、
前記撮像手段の出力画像に基づいて所定の被写体を認識する被写体認識手段と、
前記表示手段への接触物の接触に応じて、複数のＡＦモードからＡＦモードを自動選択すること、複数のＡＥモードからＡＥモードを自動選択すること、及び複数の色温度調整モードから色温度調整モードを自動選択することのうち少なくともいずれか一つを実行するモード判定手段としてコンピュータを機能させるためのプログラム。
【発明の詳細な説明】
【技術分野】
【０００１】
本発明は、例えば複数のＡＦモードに変更可能な撮像装置、その制御方法及びプログラムに関する。
【背景技術】
【０００２】
近年、デジタルカメラやカメラ機能付き携帯電話等の撮像機能を有する撮像装置が普及している。これらの撮像装置は液晶ディスプレイや有機ＥＬディスプレイ等の表示装置を備え、レンズを介して撮像手段により取り込まれた撮影画像をスルー表示することが可能である。これにより、表示装置に表示された画像を見ながら構図や露出、ピント位置を確認し、被写体を撮像することができる。
【０００３】
また、表示装置に圧力方式や静電容量方式等のタッチセンサを重畳して撮影者の指やペン等を接触検知することで、撮像装置を操作するタッチパネル機能が搭載されているものもある。例えば特許文献１に開示された撮像装置では、ユーザがディスプレイに重畳されたタッチパネルの、取り込み画像やキャプチャされた撮影画像を表示するＥＶＦエリア上の任意の位置をタップし、ＡＦ枠が移動すると、ＡＥ領域の中心がＡＦ領域の中心に位置するように、ＡＥ領域も移動する。そして、そのＡＦ領域を対象としてＡＦ処理が行われるとともに、そのＡＥ領域を対象としてＡＥ処理が行われる。
【先行技術文献】
【特許文献】
【０００４】
【特許文献１】特開２００４−２０５８８５号公報
【発明の概要】
【発明が解決しようとする課題】
【０００５】
しかしながら、上述の従来技術では、複数のＡＦモードがある場合に、操作部材を用いてＡＦモードを設定したり、表示装置に表示されるメニュー画面上でＡＦモードを設定したりする操作を行わなければならず、迅速にＡＦモードを変更することができない。その結果、シャッターチャンスの際に、ＡＦモードを変更する時間がなく最適なＡＦモードで撮影できなかったり、ＡＦモードを変更している間にシャッターチャンスを逃してしまったりする問題がある。
【０００６】
本発明は上記のような点に鑑みてなされたものであり、例えば複数のＡＦモードに変更可能な場合に、迅速にＡＦモードを変更できるようにすることを目的とする。
【課題を解決するための手段】
【０００７】
本発明の撮像装置は、被写体像を撮像する撮像手段の出力画像を表示するとともに、接触物の複数接触検知可能な表示手段と、前記撮像手段の出力画像に基づいて焦点検出を行う焦点検出手段と、前記焦点検出手段の出力に基づいて合焦可能領域を判定する合焦部判定手段と、前記撮像手段の出力画像に基づいて所定の被写体を認識する被写体認識手段と、前記表示手段への接触物の接触に応じて、複数のＡＦモードからＡＦモードを自動選択すること、複数のＡＥモードからＡＥモードを自動選択すること、及び複数の色温度調整モードから色温度調整モードを自動選択することのうち少なくともいずれか一つを実行するモード判定手段とを備えたことを特徴とする。
【発明の効果】
【０００８】
本発明によれば、表示手段への接触物の接触に応じて、例えば複数のＡＦモードからＡＦモードが自動選択されるので、迅速にＡＦモードを変更することが可能になる。
【図面の簡単な説明】
【０００９】
【図１】第１の実施形態に係るデジタルカメラの構成を示すブロック図である。
【図２】第１の実施形態に係るデジタルカメラの外観図で、（ａ）は正面斜視図、（ｂ）は背面斜視図である。
【図３】第１の実施形態に係るデジタルカメラの処理を示すフローチャートである。
【図４】第１の実施形態に係るデジタルカメラのＡＦモード判定の処理を示すフローチャートである。
【図５】第１の実施形態においてＡＦ範囲を指定するタッチ操作の例を示す概略図である。
【図６】第１の実施形態においてタッチ操作により指定したＡＦ範囲に応じて選択されるＡＦモードの例を示す概略図である。
【図７】第２の実施形態に係るデジタルカメラの構成を示すブロック図である。
【図８】第２の実施形態に係るデジタルカメラの処理を示すフローチャートである。
【図９】第２の実施形態に係るデジタルカメラのＡＥモード判定の処理を示すフローチャートである。
【図１０】第３の実施形態に係るデジタルカメラの構成を示すブロック図である。
【図１１】第３の実施形態に係るデジタルカメラの処理を示すフローチャートである。
【図１２】第３の実施形態に係るデジタルカメラの色温度調整モード判定の処理を示すフローチャートである。
【図１３】第４の実施形態に係るデジタルカメラのＡＦモード判定、ＡＥモード判定、色温度調整モード判定の処理を示すフローチャートである。
【図１４】第５の実施形態においてＡＦモード、ＡＥモード、色温度調整モードをそれぞれ独立に自動選択できようにした結果、ＡＦ枠、測光範囲枠、色温度評価範囲枠が表示された状態を示す図である。
【発明を実施するための形態】
【００１０】
以下、添付図面を参照して、本発明の好適な実施形態について説明する。
（第１の実施形態）
まず、図１、図２を参照して、第１の実施形態に係る撮像装置であるデジタルカメラ（以下、カメラと称する）の主な構成を説明する。図１は、本実施形態に係るカメラ１の内部構成を示すブロック図である。また、図２はカメラ１の外観図で、（ａ）は正面斜視図、（ｂ）は背面斜視図である。
【００１１】
カメラ１の正面には、フォーカスレンズ７を含むレンズユニット２が設けられる。レンズユニット２から入射した光は、カメラ１の内部にある焦点検出及び露出検出可能な撮像部３に結像する。撮像部３は、電荷蓄積を制御した電子シャッターによる撮影が可能であり、被写体像のスルー画像を出力することができる。撮像部３から出力されたスルー画像は、カメラ１の背面に配置された表示部４に表示され、撮影者は構図や露出、ピント位置を確認することができる。シャッターとしては、撮像部３の前面に走行可能な遮光幕を配置するメカニカルシャッターを用いてもよい。
【００１２】
撮影者がレリーズ釦５を半押し（ＳＷ１オン）すると、撮像部３による測光、ＡＦ（オートフォーカス）が開始され、レンズユニット２内のレンズ駆動部６によるフォーカスレンズ７の駆動が行われる。次に、撮影者がレリーズ釦５を全押し（ＳＷ２オン）すると、撮像部３が電子シャッターを走行させ、撮像を行う。そして、撮像部３は、電荷蓄積及び電荷読み出し動作を開始させる露光動作を行う。その後、カメラ１の側面に設けられた画像記録読込部８に装着されている記録媒体９に撮影画像データを記録保存する。記録媒体９は一般的なＳＤカードやＣＦカード等である。記録媒体９に記録保存された撮影画像は、画像再生釦１０を押すことで、表示部４に表示される。
【００１３】
システム制御回路１１は、カメラ１全体の制御を司るものであり、ＣＰＵやＭＰＵ等により構成され、後述する各回路等の動作を制御する。
【００１４】
システム制御回路１１は、焦点検出部１２として機能し、ＡＦが開始されると撮像部３の出力画像に基づいてレンズ駆動部６を制御し、フォーカスレンズ７を光軸方向に駆動して焦点検出を行う。焦点検出方式は、撮像面位相差ＡＦやコントラストＡＦ等の公知の方式でかまわない。撮像面位相差ＡＦでは、撮像部３が撮像画素群の他に不図示の焦点検出画素群と焦点検出画素群の前に配置された瞳分割レンズ群とを有し、撮像面上で位相差による焦点検出を行う。コントラストＡＦでは、撮影画像のコントラスト比から焦点検出を行う。或いは、撮像部３を光軸方向に前後に駆動させてコントラストＡＦを行うウォブリング方法等でよい。これら焦点検出方式は公知であるので、その詳細な説明は省略する。
【００１５】
また、システム制御回路１１は、合焦部判定部２９として機能し、焦点検出部１２により撮像部３の出力画像に基づいてコントラスト値を検出すると、そのコントラスト値に基づいて合焦可能領域を判定する。
【００１６】
また、システム制御回路１１は、露出検出部１３として機能し、測光が開始されると撮像部３の出力画像に基づいて撮影者が事前に設定した撮影条件に応じてレンズユニット２内の絞り１４の絞り値及び撮像部３の電子シャッタースピードを決定する。レリーズ釦５の全押し（ＳＷ２オン）により撮影動作が開始されると、システム制御回路１１は、露光制御部１５により絞り１４及び電子シャッターの電荷蓄積時間を決定された値に制御する。
【００１７】
システム制御回路１１は、露光制御部１５によりタイミングジェネレータ１６から撮像部３を駆動する際に必要なパルス信号を出力させる。撮像部３は、タイミングジェネレータ１６から出力されたパルス信号に応じて電荷蓄積及び電荷読み出し動作を行う。撮像部３から読み出された電荷は、Ａ／Ｄ変換回路１７によりデジタル化され、画像処理回路１８へと送られる。画像処理回路１８に送られた画像は、画像処理回路１８内の画像処理部１９によりホワイトバランス調整や画像圧縮処理等が行われ、記録制御部２０により画像記録読込部８を介して記録媒体９に記録保存される。記録媒体９に記録保存された撮影画像は、画像再生釦１０が押されると、画像記録読込部８により画像処理回路１８内の表示制御部２１に読み込まれ、Ｄ／Ａ変換回路２２によりアナログ化され、表示部４に表示される。
【００１８】
なお、レンズユニット２は、フォーカスレンズ７だけでなくズームレンズ等を有するものでもよく、一体型もしくは取替え可能な別体型の構成としてもよい。また、撮像部３の前面にメインミラーを回動可能に配置し、レンズユニット２からの光をペンタプリズムと結像レンズを通して撮影者の目に導く光学ファインダーを構成してもよい。また、メインミラーにサブミラーを回動可能に設け、撮像部３の出力画像に基づいて焦点検出を行う焦点検出部１２とは別に位相差ＡＦによる焦点検出手段を設けてもよい。上述したこれらの構成に関しては公知であるので、その詳細な説明は省略する。
【００１９】
ダイヤル操作部材である撮影モード選択部２３では、撮影モードを設定することができる。撮影モードとして、例えば自動露出モード、絞り優先露出モード（Ａｖ）、シャッタースピード優先露出モード（Ｔｖ）、マニュアルモード（Ｍ）、バルブモード（Ｂ）を設定することができる。自動露出モードに設定した場合、ダイヤル操作部材である露出設定部２４により撮影者が任意に適正露出値を設定し、絞り値及びシャッタースピードは撮影時にその適正露出になるように自動で決定される。絞り優先露出モード（Ａｖ）、シャッタースピード優先露出モード（Ｔｖ）、又はマニュアルモード（Ｍ）に設定した場合、絞り値設定部２５及びシャッタースピード設定部２６により絞り値及びシャッタースピードを任意に設定することができる。バルブモード（Ｂ）を設定した場合、レリーズ釦５の全押し（ＳＷ２オン）で撮影を開始し、レリーズ釦５を全押し（ＳＷ２オン）している間は露光し続け、レリーズ釦５を離すと（ＳＷ２オフ）露光終了し、撮影中にシャッタースピードが決定できる。
【００２０】
表示部４は、画像を表示するための液晶方式や有機ＥＬ方式等の表示パネルに、接触物の複数接触検知可能な静電容量式センサを重畳している。そして、撮影者が表示部４の表示領域に撮影者の指やペン等（以下では、単に「指」と記す）を接触すると、その位置を検出することができる。また、撮影者が表示部４の表示領域に指を接触して滑らせると、その軌跡を検出することができる。静電容量式センサは、絶縁体フィルムとその下に格子状に配した電極層からなり、導電性である指が近づくと電極層から指へと静電誘導が発生し、間にある絶縁体フィルムの静電容量が変化する。そして、システム制御回路１１に内包された近接・接触判定手段が静電容量の変化を電極層の電位差から読み取ることで、指の位置を検出することができる。タッチセンサは、静電容量式の他に光の反射や明暗を検知する光方式や指の押し圧を検知する感圧方式がある。
【００２１】
また、システム制御回路１１は、範囲設定手段であるＡＦ範囲指定領域判定部２７として機能し、撮影者がＡＦ範囲を指定するために表示部４の表示領域に指を接触すると、指の接触方法に応じてＡＦ範囲を設定する。例えば、図５（ａ）に示すように、撮影者が表示部４の表示領域に１本の指を接触すると、この接触部分に内包された局所的な一点をＡＦ範囲５１として設定する。また、図５（ｂ）に示すように、撮影者が表示部４の表示領域に２本の指を接触すると、２本の指の接触位置に内包された領域もしくは２本の指の接触位置を内包した領域をＡＦ範囲５１として設定する。また、図５（ｃ）に示すように、撮影者が表示部４の表示領域に１本の指を接触して滑らせると、指を滑らせた部分に内包された領域もしくは指を滑らせた部分を内包した領域をＡＦ範囲５１として設定する。ＡＦ範囲の指定方法は、上述した方法の他に、３本以上の指を接触することにより指定したり、指を四角や円形に滑らせて指定したりする方法等を含むようにしてもよい。
【００２２】
また、システム制御回路１１は、被写体認識部２８として機能し、撮像部３の出力画像に基づいて顔に相当する領域や被写体像全体を認識する。顔認識は、肌色や顔の輪郭、目や鼻等の特徴点から撮影画像内の顔候補領域を抽出し、その特徴量から顔領域を決定する方式が知られている。また、複数の顔の形状をしたテンプレートを用意して、そのテンプレートと撮影画像との相関を解析し、その相関値より顔領域を決定する方式が知られている。被写体像認識は、色や形状、コントラスト情報から背景と被写体像領域を分離し抽出し、被写体像を認識する。被写体を認識する方式は公知であるので、その詳細な説明は省略する。
【００２３】
本実施形態に係るカメラ１では、複数のＡＦモードに変更可能となっている。ＡＦ自動選択モード切換部３０は、ＡＦモードを自動選択するモードに変更するための操作部材である。ＡＦ自動選択モード切換部３０は、図２に示すように、カメラ１に専用の操作部材として設けてもよいし、カメラ１全体の設定変更を行うメニュー釦により変更できる設定項目内に設けてもよい。ＡＦモードとしては、顔追尾ＡＦモード、一点追尾ＡＦモード、多点ＡＦモード、撮影者がタッチ操作により指定したＡＦ範囲５１に応じてＡＦモードを自動選択するＡＦ自動選択モード等がある。
【００２４】
顔追尾ＡＦモードでは、図６（ａ）の下段の図に示すように、被写体認識部２８により所定の被写体である顔に追尾してＡＦを行い、フォーカスレンズ７をＡＦ動作させる。一点追尾ＡＦモードでは、図６（ｂ）の下段の図に示すように、被写体の局所的な一点を選択するとその部分に追尾してＡＦを行い、フォーカスレンズ７をＡＦ動作させる。多点ＡＦモードでは、図６（ｃ）の下段の図に示すように、合焦可能な被写体像全体をＡＦし、被写体像全体が合焦するように絞り値等の撮影条件を制御し、フォーカスレンズ７をＡＦ動作させる。
【００２５】
システム制御回路１１は、ＡＦモード判定部３１として機能し、ＡＦ自動選択モード切換部３０によりＡＦ自動選択モードに設定されているときに、ＡＦ範囲指定領域判定部２７により設定したＡＦ範囲５１における被写体認識部２８による顔の認識結果と合焦部判定部２９による判定結果とに応じて、ＡＦモードを判定、自動選択する。
【００２６】
図３、図４のフローチャートを参照して、第１の実施形態に係るカメラ１の処理を説明する。撮影者がカメラ１の電源をオンにすると、まずステップＳ１０１で、システム制御回路１１は表示部４に撮像部３からのスルー画像を表示する。表示部４に表示されるスルー画像により、撮影者は構図や露出、ピント位置を確認することができる。
【００２７】
ステップＳ１０２で、ＡＦ自動選択モード切換部３０によりＡＦ自動選択モードに設定されると、ステップＳ１０３で、システム制御回路１１は撮影者がＡＦ範囲を指定するために表示部４の表示領域に指を接触したか否かを検知する。
【００２８】
ステップＳ１０３において撮影者の指が接触していない場合、ステップＳ１０８に進み、通常撮影が行われる。すなわち、撮影者がレリーズ釦５を押すことで（ＳＷ１オン）、中央もしくは自動ＡＦフレーム選択による合焦点情報が検出され、ステップＳ１０５に進み、システム制御回路１１は表示部４にＡＦ枠を表示する。そして、ステップＳ１０６で、フォーカスレンズ７をＡＦ動作させる。ステップＳ１０７で、撮影者によるレリーズ釦５の全押し（ＳＷ２オン）があると、撮影を実行する。
【００２９】
ステップＳ１０３において撮影者の指が接触している場合、ステップＳ１０４に進み、ＡＦモード判定部３１は、撮影者がタッチ操作により指定したＡＦ範囲５１に応じてＡＦモードを判定する。
【００３０】
図４に、ステップＳ１０４のＡＦモード判定の処理を示す。上述した指の接触方法に応じてＡＦ範囲５１が指定されると（ステップＳ２０１）、被写体認識部２８により、指定されたＡＦ範囲５１内の被写体認識を行う（ステップＳ２０２）。
【００３１】
被写体認識により一つもしくは複数の顔が認識された場合（ステップＳ２０３でＹｅｓ）、焦点検出部１２は、顔領域αxに対応する撮像部３の出力画像のコントラスト値βαxを検出する（ステップＳ２０４）。そして、合焦部判定部２９は、ステップＳ２０４において検出したコントラスト値βαxを、予め設定されている閾値βsと比較する（ステップＳ２０５）。ステップＳ２０５においてコントラスト値βαxが閾値βsより高い場合、合焦可能な顔領域があるとして、ＡＦモード判定部３１は顔追尾ＡＦモードと判定し、自動選択する（ステップＳ２０６）。ステップＳ２０５においてコントラスト値βαxが閾値βsより高くない場合、合焦不可能と判定する（ステップＳ２０７）。図６（ｃ）に示すように、撮影者が表示部４の表示領域の広い範囲をＡＦ範囲５１として指定した場合で、顔が認識され、合焦可能である場合、顔追尾ＡＦモードと判定される。
【００３２】
被写体認識により顔が認識されなかった場合（ステップＳ２０３でＮｏ）、焦点検出部１２は、ＡＦ範囲５１に対応する撮像部３の出力画像のコントラスト値βyを検出する（ステップＳ２０８）。そして、合焦部判定部２９は、ステップＳ２０８において検出したコントラスト値βyを、予め設定されている閾値βsと比較する（ステップＳ２０９）。ステップＳ２０９においてコントラスト値βyが閾値βsより高い領域が含まれている場合、そのコントラスト値が高い領域で合焦可能として、ステップＳ２１０に進む。ステップＳ２０９においてコントラスト値βyが閾値βsより高い領域が含まれない場合、合焦不可能と判定する（ステップＳ２１３）。
【００３３】
ステップＳ２１０で、ＡＦモード判定部３１は、合焦可能領域の大きさγyを、予め設定されている閾値γsと比較する。ステップＳ２１０において合焦可能領域の大きさγyが閾値γsより大きい場合、ＡＦモード判定部３１は多点ＡＦモードと判定し、自動選択する（ステップＳ２１１）。図６（ｃ）に示すように、撮影者が表示部４の表示領域の広い範囲をＡＦ範囲５１として指定した場合で、顔が認識されない場合、ＡＦ範囲５１内の合焦可能領域全体をＡＦする多点ＡＦモードと判定される。
【００３４】
それに対して、ステップＳ２１０において合焦可能領域の大きさγyが閾値γsより大きくない場合、ＡＦモード判定部３１は一点追尾ＡＦモードと判定し、自動選択する（ステップＳ２１２）。図６（ｂ）に示すように、撮影者が表示部４の表示領域に１本の指を接触し、局所的な一点をＡＦ範囲５１として指定した場合で、顔が認識されない場合、一点追尾ＡＦモードと判定される。
【００３５】
図３に説明を戻して、ステップＳ１０４において顔追尾ＡＦモードと判定された場合、ステップＳ１０５で、図６（ａ）に示すように、システム制御回路１１は表示部４において合焦可能な顔領域にＡＦ枠（顔検知ＡＦ枠）６１を表示する。そして、ステップＳ１０６で、合焦可能な顔領域に合焦するようにフォーカスレンズ７をＡＦ動作させる。ステップＳ１０７で、撮影者によるレリーズ釦５の全押し（ＳＷ２オン）があると、撮影を実行する。
【００３６】
ステップＳ１０４において一点追尾ＡＦモードと判定された場合、ステップＳ１０５で、図６（ｂ）に示すように、システム制御回路１１は表示部４において合焦可能な一点にＡＦ枠（一点追尾ＡＦ枠）６２を表示する。そして、ステップＳ１０６で、合焦可能な一点に合焦するようにフォーカスレンズ７をＡＦ動作させる。ステップＳ１０７で、撮影者によるレリーズ釦５の全押し（ＳＷ２オン）があると、撮影を実行する。
【００３７】
ステップＳ１０４において多点ＡＦモードと判定された場合、ステップＳ１０５で、図６（ｃ）に示すように、システム制御回路１１は表示部４において被写体像全体に多点のＡＦ枠（多点ＡＦ枠）６３を表示する。そして、ステップＳ１０６で、合焦可能な被写体像全体に合焦するようにフォーカスレンズ７をＡＦ動作させる。ステップＳ１０７で、撮影者によるレリーズ釦５の全押し（ＳＷ２オン）があると、撮影を実行する。
【００３８】
以上述べたように、表示部４上で撮影者がタッチ操作によってＡＦ範囲５１を指定すると、その指定されたＡＦ範囲５１に応じてＡＦモードが自動選択されるので、迅速にＡＦモードを変更することが可能になる。これにより、シャッターチャンスの際に、ＡＦモードを変更する時間がなく最適なＡＦモードで撮影できなかったり、ＡＦモードを変更している間にシャッターチャンスを逃してしまったりする問題を防ぐことができる。
【００３９】
なお、本発明はこれらの上述したＡＦモードに限定されず、その要旨の範囲内で種々の変形及び変更が可能である。ＡＦモードとしては、例えば局所的な一点からＡＦ範囲を広げたゾーンＡＦ等がある。例えばステップＳ１０４において一点追尾ＡＦモードと判定された場合に、撮影者の指が再度表示部４の略同じ範囲で複数回接触検知されると、ゾーンＡＦモードとするようにしてもよい。この場合に、接触検知した回数に応じて、ＡＦ枠を１点から５点、９点、１３点と順次拡大していくようにすることも可能である。
【００４０】
また、ワンショットフォーカスモードとサーボフォーカスモード等のフォーカスモードを変更できるようにしてもよい。ワンショットフォーカスモードは、焦点検出部１２の出力からレンズユニット２が被写体へ合焦した後にフォーカスを固定するモードである。サーボフォーカスモードは、合焦した被写体が移動した場合にフォーカスを追従して被写体に合焦し続けるモードである。例えばステップＳ１０４において撮影者が指を表示部４に接触させて合焦する被写体を指定し、指を接触させた状態で移動する被写体に対して追従して指をスライドさせた場合、ＡＦモード判定部３１によりサーボフォーカスモードと判定し、自動選択する。撮影者が指をスライドさせずに表示部４から離した場合、ワンショットフォーカスモードと判定し、自動選択する。
【００４１】
（第２の実施形態）
第１の実施形態ではＡＦモードを自動選択する例を説明したが、ＡＥ（自動露出）モードを自動選択できるようにしてもよい。
図７を参照して、第２の実施形態に係る撮像装置であるデジタルカメラ（以下、カメラと称する）の主な構成を説明する。第１の実施形態に係るカメラ１と同様の構成要素には同一の符号を付し、その説明は省略する。
第２の実施形態では、図７に示すように、第１の実施形態におけるＡＦ範囲指定領域判定部２７、ＡＦ自動選択モード切換部３０、ＡＦモード判定部３１に代えて、ＡＥ範囲指定領域判定部３２、ＡＥ自動選択モード切換部３３、ＡＥモード判定部３４を有する。ＡＥ自動選択モード切換部３３は、ＡＦ自動選択モード切換部３０と同様、カメラ１に専用の操作部材として設けてもよいし、カメラ１全体の設定変更を行うメニュー釦により変更できる設定項目内に設けてもよい。
【００４２】
第２の実施形態において、システム制御回路１１は、範囲設定手段であるＡＥ範囲指定領域判定部３２として機能し、撮影者がＡＥ範囲を指定するために表示部４の表示領域に指を接触すると、指の接触方法に応じてＡＥ範囲を設定する。例えば、撮影者が表示部４の表示領域に１本の指を接触すると、図５（ａ）に示したＡＦ範囲５１と同様、この接触部分に内包された局所的な一点をＡＥ範囲として設定する。また、撮影者が表示部４の表示領域に２本の指を接触すると、図５（ｂ）に示したＡＦ範囲５１と同様、２本の指の接触位置に内包された領域もしくは２本の指の接触位置を内包した領域をＡＥ範囲として設定する。また、撮影者が表示部４の表示領域に１本の指を接触して滑らせると、図５（ｃ）に示したＡＦ範囲５１と同様、指を滑らせた部分に内包された領域もしくは指を滑らせた部分を内包した領域をＡＥ範囲として設定する。ＡＥ範囲の指定方法は、上述した方法の他に、３本以上の指を接触することにより指定したり、指を四角や円形に滑らせて指定したりする方法等を含むようにしてもよい。
【００４３】
また、システム制御回路１１は、ＡＥモード判定部３４として機能し、ＡＥ自動選択モード切換部３３によりＡＥ自動選択モードに設定されているときに、ＡＥ範囲指定領域判定部３２により設定したＡＥ範囲における被写体認識部２８による顔の認識結果と合焦部判定部２９による判定結果とに応じて、ＡＥモードを判定、自動選択する。本実施形態においてＡＥ自動選択モードで判定されるＡＥモードとしては、被写体認識部２８により被写体の顔に追尾して測光を行う顔追尾測光モード、被写体の局所的な１点に追尾して測光を行う１点追尾測光モード、被写体全体を測光する被写体評価測光モードがある。測光は、撮像部３の出力から輝度情報を露出検出部１３で検出して行われる。
【００４４】
図８、図９のフローチャートを参照して、第２の実施形態に係るカメラ１の処理を説明する。撮影者がカメラ１の電源をオンにすると、まずステップＳ３０１で、システム制御回路１１は表示部４に撮像部３からのスルー画像を表示する。表示部４に表示されるスルー画像により、撮影者は構図や露出、ピント位置を確認することができる。
【００４５】
ステップＳ３０２で、ＡＥ自動選択モード切換部３３によりＡＥ自動選択モードに設定されると、ステップＳ２０３で、システム制御回路１１は撮影者がＡＥ範囲を指定するために表示部４の表示領域に指を接触したか否かを検知する。
【００４６】
ステップＳ３０３において撮影者の指が接触していない場合、ステップＳ３０８に進み、通常撮影が行われる。すなわち、撮影者がレリーズ釦５を押すことで（ＳＷ１オン）、所定の測光情報が検出され、ステップＳ３０５に進み、システム制御回路１１は表示部４に測光範囲枠を表示する。そして、ステップＳ３０６で、ＡＥ動作させる。ステップＳ３０７で、撮影者によるレリーズ釦５の全押し（ＳＷ２オン）があると、撮影を実行する。
【００４７】
ステップＳ３０３において撮影者の指が接触している場合、ステップＳ３０４に進み、ＡＥモード判定部３４は、撮影者がタッチ操作により指定したＡＥ範囲に応じてＡＥモードを判定する。
【００４８】
図９に、ステップＳ３０４のＡＥモード判定の処理を示す。なお、第１の実施形態で説明した図４のフローチャートと同様の処理には同一の符号を付し、その説明は省略する。上述した指の接触方法に応じてＡＥ範囲が指定されると（ステップＳ４０１）、ステップＳ２０２〜ステップＳ２０５、ステップＳ２０８〜ステップＳ２１０の判定がなされる。ステップＳ２０５においてコントラスト値βαxが閾値βsより高い場合、合焦可能な顔領域があるとして、ＡＥモード判定部３４は顔追尾ＡＥモードと判定し、自動選択する（ステップＳ４０２）。また、ステップＳ２１０において合焦可能領域の大きさγyが閾値γsより大きい場合、ＡＥモード判定部３４は被写体評価ＡＥモードと判定し、自動選択する（ステップＳ４０３）。それに対して、ステップＳ２１０において合焦可能領域の大きさγyが閾値γsより大きくない場合、ＡＥモード判定部３４は一点追尾ＡＥモードと判定し、自動選択する（ステップＳ４０４）。
【００４９】
図８に説明を戻して、ステップＳ３０４において顔追尾ＡＥモードと判定された場合、ステップＳ３０５で、図６（ａ）に示したＡＦ枠（顔検知ＡＦ枠）６１と同様、システム制御回路１１は表示部４において合焦可能な顔領域に測光範囲枠を表示する。そして、ステップＳ３０６で、合焦可能な顔領域でＡＥ動作させる。ステップＳ３０７で、撮影者によるレリーズ釦５の全押し（ＳＷ２オン）があると、撮影を実行する。
【００５０】
ステップＳ３０４において一点追尾ＡＥモードと判定された場合、ステップＳ３０５で、図６（ｂ）に示したＡＦ枠（一点追尾ＡＦ枠）６２と同様、システム制御回路１１は表示部４において合焦可能な一点に測光範囲枠を表示する。そして、ステップＳ３０６で、合焦可能な一点でＡＥ動作させる。ステップＳ３０７で、撮影者によるレリーズ釦５の全押し（ＳＷ２オン）があると、撮影を実行する。
【００５１】
ステップＳ３０４において被写体評価ＡＥモードと判定された場合、ステップＳ３０５で、図６（ｃ）に示したＡＦ枠（多点ＡＦ枠）６３と同様、システム制御回路１１は表示部４において被写体像全体に多点の測光範囲枠を表示する。そして、ステップＳ３０６で、合焦可能な被写体像全体でＡＥ動作させる。ステップＳ３０７で、撮影者によるレリーズ釦５の全押し（ＳＷ２オン）があると、撮影を実行する。
【００５２】
（第３の実施形態）
第１の実施形態ではＡＦモードを自動選択する例、第２の実施形態ではＡＥモードを自動選択する例を説明したが、色温度調整モードを自動選択できるようにしてもよい。
図１０を参照して、第３の実施形態に係る撮像装置であるデジタルカメラ（以下、カメラと称する）の主な構成を説明する。第１の実施形態に係るカメラ１と同様の構成要素には同一の符号を付し、その説明は省略する。
第３の実施形態では、図１０に示すように、第１の実施形態におけるＡＦ範囲指定領域判定部２７、ＡＦ自動選択モード切換部３０、ＡＦモード判定部３１に代えて、色温度評価範囲指定領域判定部３５、色温度調整自動選択モード切換部３６、色温度調整モード判定部３７を有する。色温度調整自動選択モード切換部３６は、ＡＦ自動選択モード切換部３０やＡＥ自動選択モード切換部３３と同様、カメラ１に専用の操作部材として設けてもよいし、カメラ１全体の設定変更を行うメニュー釦により変更できる設定項目内に設けてもよい。
【００５３】
第３の実施形態において、システム制御回路１１は、範囲設定手段である色温度評価範囲指定領域判定部３５として機能し、撮影者が色温度評価範囲を指定するために表示部４の表示領域に指を接触すると、指の接触方法に応じて色温度評価範囲を設定する。例えば、撮影者が表示部４の表示領域に１本の指を接触すると、図５（ａ）に示したＡＦ範囲５１と同様、この接触部分に内包された局所的な一点を色温度評価範囲として設定する。また、撮影者が表示部４の表示領域に２本の指を接触すると、図５（ｂ）に示したＡＦ範囲５１と同様、２本の指の接触位置に内包された領域もしくは２本の指の接触位置を内包した領域を色温度評価範囲として設定する。また、撮影者が表示部４の表示領域に１本の指を接触して滑らせると、図５（ｃ）に示したＡＦ範囲５１と同様、指を滑らせた部分に内包された領域もしくは指を滑らせた部分を内包した領域を色温度評価範囲として設定する。色温度評価範囲の指定方法は、上述した方法の他に、３本以上の指を接触することにより指定したり、指を四角や円形に滑らせて指定したりする方法等を含むようにしてもよい。
【００５４】
また、システム制御回路１１は、色温度調整モード判定部３７として機能し、色温度調整自動選択モード切換部３６により色温度調整自動選択モードに設定されているときに、色温度評価範囲指定領域判定部３５により設定した色温度評価範囲における被写体認識部２８による顔の認識結果と合焦部判定部２９による判定結果とに応じて、色温度調整モードを判定、自動選択する。本実施形態において色温度調整自動選択モードで判定される色温度調整モードとしては、被写体認識部２８により被写体の顔に追尾して肌の色から色温度を調整する顔追尾色温度調整モード、露出検出部１３により高輝度である光源を検知し、光源の色から色温度を調整する光源色温度調整モード、被写体全体の略平均的な色温度から色温度を調整するオート色温度調整モードがある。色温度は、撮像部３の出力の色情報から画像処理回路１８によって評価され、調整される。
【００５５】
図１１、図１２のフローチャートを参照して、第３の実施形態に係るカメラ１の処理を説明する。撮影者がカメラ１の電源をオンにすると、まずステップＳ５０１で、システム制御回路１１は表示部４に撮像部３からのスルー画像を表示する。表示部４に表示されるスルー画像により、撮影者は構図や露出、ピント位置を確認することができる。
【００５６】
ステップＳ５０２で、色温度調整自動選択モード切換部３６により色温度調整自動選択モードに設定されると、ステップＳ５０３で、システム制御回路１１は撮影者が色温度評価範囲を指定するために表示部４の表示領域に指を接触したか否かを検知する。
【００５７】
ステップＳ５０３において撮影者の指が接触していない場合、ステップＳ５０８に進み、通常撮影が行われる。すなわち、撮影者がレリーズ釦５を押すことで（ＳＷ１オン）、所定の色温度情報が検出され、ステップＳ５０５に進み、システム制御回路１１は表示部４に色温度評価範囲枠を表示する。そして、ステップＳ５０６で、色温度調整動作させる。ステップＳ５０７で、撮影者によるレリーズ釦５の全押し（ＳＷ２オン）があると、撮影を実行する。
【００５８】
ステップＳ５０３において撮影者の指が接触している場合、ステップＳ５０４に進み、色温度調整モード判定部３７は、撮影者がタッチ操作により指定した色温度評価範囲に応じて色温度調整モードを判定する。
【００５９】
図１２に、ステップＳ５０４の色温度調整モード判定の処理を示す。なお、第１の実施形態で説明した図４のフローチャートと同様の処理には同一の符号を付し、その説明は省略する。上述した指の接触方法に応じて色温度評価範囲が指定されると（ステップＳ６０１）、ステップＳ２０２〜ステップＳ２０５、ステップＳ２０８、Ｓ２０９の判定がなされる。ステップＳ２０５においてコントラスト値βαxが閾値βsより高い場合、合焦可能な顔領域があるとして、色温度調整モード判定部３７は顔追尾色温度調整モードと判定し、自動選択する（ステップＳ６０２）。
また、ステップＳ２０９においてコントラスト値βyが閾値βsより高い領域が含まれている場合、そのコントラスト値が高い領域で合焦可能として、ステップＳ６０３に進む。ステップＳ６０３で、色温度調整モード判定部３７は、合焦可能領域の輝度δαを、予め設定されている閾値δsと比較する。ステップＳ６０３において合焦可能領域の輝度δαが閾値δsより大きい場合、色温度調整モード判定部３７は光源色温度調整モードと判定し、自動選択する（ステップＳ６０４）。それに対して、ステップＳ６０３において合焦可能領域の輝度δαが閾値δsより大きくない場合、色温度調整モード判定部３７はオート色温度調整モードと判定し、自動選択する（ステップＳ６０５）。
【００６０】
図１１に説明を戻して、ステップＳ５０４において顔追尾色温度調整モードと判定された場合、ステップＳ５０５で、図６（ａ）に示したＡＦ枠（顔検知ＡＦ枠）６１と同様、システム制御回路１１は表示部４において合焦可能な顔領域に色温度評価範囲枠を表示する。そして、ステップＳ５０６で、合焦可能な顔領域で色温度評価し、色温度調整動作させる。ステップＳ５０７で、撮影者によるレリーズ釦５の全押し（ＳＷ２オン）があると、撮影を実行する。
【００６１】
ステップＳ５０４においてオート色温度調整モードと判定された場合、ステップＳ５０５で、システム制御回路１１は色温度評価範囲を被写体全体に拡大させて、表示部４において色温度測光範囲枠を表示する。そして、ステップＳ５０６で、色温度評価範囲枠で被写体の略平均的な色温度を検出して、色温度調整動作させる。ステップＳ５０７で、撮影者によるレリーズ釦５の全押し（ＳＷ２オン）があると、撮影を実行する。
【００６２】
ステップＳ５０４において光源色温度調整モードと判定された場合、ステップＳ５０５で、システム制御回路１１は露出検出部１３により色温度評価範囲の輝度の高い光源部の色温度を検出し、表示部４において色温度測光範囲枠を表示する。そして、ステップＳ５０６で、色温度調整動作させる。ステップＳ５０７で、撮影者によるレリーズ釦５の全押し（ＳＷ２オン）があると、撮影を実行する。
【００６３】
（第４の実施形態）
第１の実施形態ではＡＦモードを自動選択する例、第２の実施形態ではＡＥモードを自動選択する例、第３の実施形態では色温度調整モードを自動選択する例を説明したが、これらを連動させるようにしてもよい。
例えば図１３に示すように、第１の実施形態と同様、顔追尾ＡＦモード、多点ＡＦモード、一点追尾ＡＦモードを判定し、自動選択する（ステップＳ２０１〜ステップＳ２１２）。
【００６４】
そして、ステップＳ２０６において顔追尾ＡＦモードが自動選択されると、合焦可能な顔領域を測光範囲枠とする顔追尾ＡＥモードを自動選択する（ステップＳ４０２）。さらに、合焦可能な顔領域を色温度評価範囲枠とする顔追尾色温度調整モードを自動選択する（ステップＳ６０２）。
【００６５】
一方、ステップＳ２１１において多点ＡＦモードが自動選択されると、被写体像全体に多点の測光範囲枠を設定して被写体評価ＡＥモードを自動選択する（ステップＳ４０３）
また、ステップＳ２１２において一点追尾ＡＦモードが自動選択されると、合焦可能な一点を測光範囲枠とする一点追尾ＡＥモードを自動選択する（ステップＳ４０４）。
そして、被写体評価ＡＥモード及び一点追尾ＡＥモードが自動選択された場合、ステップＳ６０３に進み、合焦可能領域の輝度δαを、予め設定されている閾値δsと比較する。ステップＳ６０３において合焦可能領域の輝度δαが閾値δsより大きい場合、光源色温度調整モードと判定、自動選択し（ステップＳ６０４）、合焦可能領域の輝度δαが閾値δsより大きくない場合、オート色温度調整モードと判定、自動選択する（ステップＳ６０５）。
【００６６】
（第５の実施形態）
第４の実施形態ではＡＦモードの自動選択に連動させてＡＥモードや色温度調整モードも自動選択される例を説明したが、一連の操作の中でＡＦモード、ＡＥモード、色温度調整モードをそれぞれ独立に自動選択できるようにしてもよい。
本実施形態では、一連の操作の中でＡＦモード、ＡＥモード、色温度調整モードをそれぞれ独立に自動選択できるようにするため、システム制御回路１１に、表示部４に撮影者の指が複数回接触した際に接触した順番を検出する接触順序検出手段としての機能を持たせておく。
【００６７】
本実施形態では、図３、図８を参照して、ＡＦモード、ＡＥモードの順でそれぞれ独立に自動選択される例を説明する。
表示部４に撮像部３からのスルー画像が表示された状態で、表示部４の表示領域に指が接触したか否かを検知し（図３のステップＳ１０３）、指が接触したことを検知すると、図３のステップＳ１０４、Ｓ１０５、Ｓ１０６の処理を実行する。
その後、撮影者によるレリーズ釦５の全押し（ＳＷ２オン）がある前に、一定の条件下で表示部４の表示領域に指が接触したか否かを検知し（図８のステップＳ３０３）、指が接触したことを検知すると、図８のステップＳ３０４、Ｓ３０５、Ｓ３０６の処理を実行する。一定の条件とは、例えば一回目の指の接触（ステップＳ１０３）が継続された状態で、他の指が接触（ステップＳ５０３）することを条件としてもよい。また、一回目の指の接触（ステップＳ１０３）、離間の後、一定の時間内に二回目の指の接触（ステップＳ５０３）があることを条件としてもよい。
その後、撮影者によるレリーズ釦５の全押し（ＳＷ２オン）があると、撮影を実行する。
【００６８】
なお、本実施形態では、ＡＦモード、ＡＥモードがそれぞれ独立に自動選択される例を説明したが、ＡＦモード、ＡＥモード、色温度調整モードの任意の組み合わせで、それぞれ独立に自動選択されるようにすることが可能である。また、自動選択される順は、例えばメニュー設定で変更できるようにしてもよい。
図１４には、ＡＦモード、ＡＥモード、色温度調整モードをそれぞれ独立に自動選択できようにした結果、ＡＦ枠、測光範囲枠、色温度評価範囲枠が表示された状態を示す。
【００６９】
（第６の実施形態）
第１の実施形態で述べたように、図５（ａ）に示すように、撮影者が表示部４の表示領域に１本の指を接触すると、この接触部分に内包された局所的な一点をＡＦ範囲５１として設定する。このとき、システム制御回路１１において、その接触時間Ｔを検出する。
その後、フォーカスレンズ７をＡＦ動作させる際に（ステップＳ１０６）、フォーカスレンズ７が合焦するまでの駆動時間が接触時間Ｔに応じて設定されるようにする。例えばフォーカスレンズ７が合焦するまでの駆動時間が接触時間Ｔとなるようにする。
【００７０】
なお、本実施形態ではＡＦモードを例に説明したが、ＡＥモードの自動選択の際、色温度調整モードの自動選択の際にも適用可能である。ＡＥモードの自動選択の場合、露光制御部１５による撮像部３の露光量の変更時間が接触時間Ｔに応じて設定されるようにして測光する。また、色温度調整モードの自動選択の場合、画像処理回路１８による色温度調整（変更）時間が接触時間Ｔに応じて設定されるようにし、撮像部３の出力画像の色温度を調整させる。
【００７１】
本実施形態のようにフォーカスレンズ７が合焦するまでの駆動時間が接触時間Ｔに応じて設定されるようにすることにより、例えば動画撮影を行っているときに、映画のようなゆっくりとしたフォーカスをユーザが簡単にコントロールすることが可能となる。
【００７２】
以上、本発明の好ましい実施形態について説明したが、本発明はこれらの実施形態に限定されず、その要旨の範囲内で種々の変形及び変更が可能である。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【産業上の利用可能性】
【００７３】
本発明は、デジタルカメラやカメラ機能付き携帯電話等の撮像機能を有する撮像装置全般に適用可能である。
【符号の説明】
【００７４】
３：撮像部、４：表示部、１１：システム制御回路、１２：焦点検出部、２９：合焦部判定部、２７：ＡＦ範囲指定領域判定部、２８：被写体認識部、３１：ＡＦフレーム選択モード判定部、３０：ＡＦフレーム選択モード切換部、３２：ＡＥ範囲指定領域判定部、３３：ＡＥ自動選択モード切換部、３４：ＡＥモード判定部、３５：色温度評価範囲指定領域判定部、３６：色温度調整自動選択モード切換部、３７：色温度調整モード判定部
【図１】
2013101320.tif 000003
【図２】
2013101320.tif 000004
【図３】
2013101320.tif 000005
【図４】
2013101320.tif 000006
【図５】
2013101320.tif 000007
【図６】
2013101320.tif 000008
【図７】
2013101320.tif 000009
【図８】
2013101320.tif 000010
【図９】
2013101320.tif 000011
【図１０】
2013101320.tif 000012
【図１１】
2013101320.tif 000013
【図１２】
2013101320.tif 000014
【図１３】
2013101320.tif 000015
【図１４】
2013101320.tif 000016